(57)【要約】【課題】栽培終了後において環境に影響を及ぼすことのないスプラウト栽培セット、煩雑な水替えを伴うことなく栽培することのできるスプラウト栽培セットを提供する。【解決手段】水栽石３と共に第２の袋体２が封入された第１の袋体は、カバー紙５の両片５２、５３間に介挿されて、上端部をカバー紙５と共にホチキス止めされ、これによりスプラウト栽培セット６が完成されている。スプラウト栽培セット６を購入したユーザーは、第１の袋体１を開封し、第２の袋体２を取り出した後、家庭内にあるカップを用いて、その中に１ｃｍ強の厚さに水栽石３を平らに敷き、水を水栽石３より少し上部まで入れ、種子を蒔くことにより、スプラウトを栽培する。水栽石３は軽石であって、アルカリ性であることから、カップ内の水が腐りにくく、カビが発生することが殆どない。【選択図】        図６    
0003113821.tif 000002
【実用新案登録請求の範囲】
【請求項１】
共に開封可能な第１の袋体と第２の袋体内とを一体的に有し、各袋体内にスプラウトを水栽培する際に苗床として使用される小石群からなる水栽石と、スプラウトの種子とが封入されてなることを特徴とするを有することを特徴とするスプラウト栽培セット。
【請求項２】
前記水栽石は、軽石であることを特徴とする請求項１記載のスプラウト栽培セット。
【請求項３】
前記水栽石が封入された前記第１の袋体内に、前記種子が封入された前記第２の袋体が収納されてなることを特徴とする請求項１又は２記載のスプラウト栽培セット。
【請求項４】
前記種子が封入された前記第２の袋体は、非透水性を有することを特徴とする請求項３記載のスプラウト栽培セット。
【請求項５】
前記水栽石が封入された前記第１の袋体は、開閉自在なファスナーを有することを特徴とする請求項１から４にいずれか記載のスプラウト栽培セット。
【請求項６】
前記水栽石が封入された前記第１の袋体の外部に、栽培方法が印刷されたカバー紙が装着されてなることを特徴とする請求項１から５にいずれか記載のスプラウト栽培セット。
【考案の詳細な説明】
【技術分野】
【０００１】
本考案は、スプラウト（sprout）と称される新芽野菜を家庭の室内等において栽培するためのスプラウト栽培セットに関する。
【背景技術】
【０００２】
従来より、スプラウト栽培セットが市販されるに至っている。このスプラウト栽培セットは、プラスチック製の栽培容器と、スポンジ製の栽培マット及びスプラウトの種子が一体的に包装されて販売される。これを購入したユーザーは、栽培マットに水を含浸させ、栽培容器に配置してから、その上に種子を蒔き、その後栽培マットが浸る程度の水を入れる。また、芽が出て根が張り始めたら、容器内の水は毎日交換し、スプラウトとして適宜食べ頃に成長した時点で、これを収穫して食する。
【考案の開示】
【考案が解決しようとする課題】
【０００３】
しかしながら、前述した従来のスプラウト栽培セットにあっては、プラスチック製の栽培容器とスポンジ製の栽培マットとを用いる。このため、栽培終了後にこれら不要となったプラスチック製の栽培容器と、スポンジ製の栽培マットとが廃棄すべき合成樹脂ゴミとして生ずることとなり、栽培終了後における廃棄処理が環境に影響を及ぼす一因となる。
【０００４】
また、栽培マットに含浸された水が腐敗してカビが発生することから、カビの発生を防止するためには、容器内の水を毎日交換しなければならず面倒となり、栽培がユーザーにとって煩雑となるものであった。
【０００５】
本考案は、このような従来の課題に鑑みてなされたものであり、栽培終了後において環境に影響を及ぼすことのないスプラウト栽培セットを提供することを目的とする。また、本考案は、煩雑な水替えを伴うことなく栽培することのできるスプラウト栽培セットを提供することを目的とする。
【課題を解決するための手段】
【０００６】
前記課題を解決するために請求項１記載の本考案に係るスプラウト栽培セットにあっては、共に開封可能な第１の袋体と第２の袋体内とを一体的に有し、各袋体内にスプラウトを水栽培する際に苗床として使用される小石群からなる水栽石と、スプラウトの種子とが封入されてなる。
【０００７】
したがって、このスプラウト栽培セットを購入したユーザーは、両袋体を開封した後、各家庭にあるカップやグラス等の既存容器を利用し、この既存容器内に水栽石を敷き、適宜量の水を入れるとともに種子を蒔く。そして、種子が発芽後スプラウトとして適宜食べ頃に成長した時点で、これを収穫して食する。
【０００８】
また、栽培終了後においては、栽培に使用した既存容器は再度家庭内で使用できることから廃棄する必要はなく、水栽石のみを廃棄すればよい。しかも、水栽石にあっては小石群であって自然物であることから、その廃棄処理が環境に影響を及ぼすことはない。
【０００９】
また、請求項２記載の考案に係るスプラウト栽培セットにあっては、前記水栽石は、軽石である。軽石は、アルカリ性であって、軽石からなる水栽石と共に容器内に収容された水は腐食しにくく、カビの発生が抑制される。このことは、本考案者によって確認されている。したがって、前述のスポンジ製の栽培マットを用いた従来品のように、面倒な水替えが必要なく、煩雑な水替えを伴うことなく容易にスプラウト栽培することができる。
【００１０】
また、請求項３記載の考案に係るスプラウト栽培セットにあっては、前記水栽石が封入された前記第１の袋体内に、前記種子が封入された前記第２の袋体が収納されてなる。したがって、スプラウト栽培セットを単一的に構成することができる。
【００１１】
また、請求項４記載の考案に係るスプラウト栽培セットにあっては、前記種子が封入された前記第２の袋体は、非透水性を有する。したがって、水栽石が封入された第１の袋体内に、種子が封入された第２の袋体が収納されている状態において、水栽石が水分を含んでいる場合であっても、第２の袋体に封入されている種子が水栽石の含有する水分により影響を受けることがなく、水分により種子が腐食する不都合を未然に防止することができる。
【００１２】
また、請求項５記載の考案に係るスプラウト栽培セットにあっては、前記水栽石が封入された前記第１の袋体は、開閉自在なファスナーを有する。したがって、第１の袋体に複数回分の水栽石が封入されている場合であっても、複数回に分けて使用しつつ残りの水栽石を袋体内に封入しておくことができる。
【００１３】
また、請求項６記載の考案に係るスプラウト栽培セットにあっては、前記水栽石が封入された前記第１の袋体の外部に、栽培方法が印刷されたカバー紙が装着されてなることを特徴とする。したがって、これを購入したユーザーは、カバー紙に印刷されている栽培方法を見ながら作業を行うことにより、既存容器を用いて容易にスプラウトの栽培を行うことができる。
【考案の効果】
【００１４】
以上説明したように、請求項１に係る考案によれば、栽培終了後においては、栽培に使用した既存容器は再度家庭内で使用できることから廃棄する必要はなく、水栽石のみを廃棄すればよい。しかも、水栽石にあっては小石群であって自然物であることから、その廃棄処理が環境に影響を及ぼすことがない。よって、栽培終了後において環境に影響を及ぼすことなく、スプラウトの栽培を行うことができる。
【００１５】
また、請求項２に係る考案によれば、従来のように面倒な水替えを必要することなく、よって、煩雑な水替えを伴うことなく容易にスプラウト栽培することができる。
【００１６】
さらに、請求項３に係る考案によれば、スプラウト栽培セットを単一的に構成することができ、請求項４に係る考案によれば、スプラウト栽培セットを単一的に構成しつつ、第１の袋体内の水栽石が水分を含んでいる場合であっても、水分により種子が腐食する不都合を未然に防止することができる。
【００１７】
また、請求項５に係る考案によれば、第１の袋体に複数回分の水栽石が封入されている場合であっても、複数回に分けて使用しつつ残りの水栽石を袋体内に封入しておくことができ、また、る。
【００１８】
また、請求項６記載の考案に係るスプラウト栽培セットにあっては、前記水栽石が封入された前記第１の袋体の外部に、栽培方法が印刷されたカバー紙が装着されてなることを特徴とする。したがって、これを購入したユーザーは、カバー紙に印刷されている栽培方法を見ながら、作業を行うことにより、既存容器を用いて容易にスプラウトの栽培を行うことができる。
【考案を実施するための最良の形態】
【００１９】
以下、本考案の一実施の形態を図に従って説明する。本実施の形態に係るスプラウト栽培セットは、図１に示す第１の袋体１と、第２に示す第２の袋体２及び図４に示すカバー紙５とで構成されている。第１の袋体１は、透明樹脂製であって、上部には水平方向に切断線１１が印刷され、この切断線１１の下部にはこれに沿って開閉自在なファスナ１２が設けられている。
【００２０】
この第１の袋体１内には、水栽石３が封入されている。この水栽石３は、軽石からなる小石群であって、各軽石は、スプラウトの苗床として用いるに適切な大きさを有している。また、第１の袋体１には、カップ等を用いた場合に複数回使用可能な量の水栽石３が封入されている。
【００２１】
一方、第２の袋体２は、アルミ箔製であって非透水性を有し内部には、かいわれ、ブロッコリ等のスプラウトの種子４が封入されている。この種子４も、複数回分の分量が封入されている。
【００２２】
そして、図３に示すように、第２の袋体２は、前記水栽石３と共に、第１の袋体１内に封入されている。ここで、第２の袋体２は、非透水性を有していることから、水栽石３が水分を含んでいる場合であっても、第２の袋体２に封入されている種子４が水栽石３の含有する水分により影響を受けることがなく、水分により種子４が腐食する不都合を未然に防止することができる。
【００２３】
他方、図４に示すように、前記カバー紙５は、折れ線５１を介して両側に設けられた長片５２と短片５３とを有している。長片５２の表面には、当該種子４のスプラウトが食べられる程度に成長した状態の写真（図示せず）が印刷されており、短片５３の表面には、図５に示すように、栽培方法の印刷５４が施されている。
【００２４】
そして、図６に示すように、水栽石３と共に第２の袋体２が封入された第１の袋体は、カバー紙５の両片５２、５３間に介挿されて、上端部をカバー紙５と共にホチキス止めされ、これによりスプラウト栽培セット６が完成されている。
【００２５】
以上の構成に係る本実施の形態において、スプラウト栽培セット６を購入したユーザーは、カバー紙５を除去した後、切断線１１にて切断することにより、第１の袋体１を開封し、第２の袋体２を取り出した後、図５に示した栽培方法の印刷５４を参考にしながらスプラウトの栽培を開始する。
【００２６】
すなわち、同図に示したように、家庭内にあるカップ７を用いて、その中に１ｃｍ強の厚さに水栽石３を平らに敷き、水を水栽石３より少し上部まで入れる。なお、第１の袋体１に残存した水栽石３は、ファスナ１２を閉めることにより、封入して保管することができる。次に、第２の袋体２を開封して、種子４を図示のような間隔でバラ蒔きした後、段ボール箱８等に入れて１週間暗くして育てる。その間、水を切らさないように気を付けながら、水だけを与える。
【００２７】
このとき、水栽石３は軽石であって、アルカリ性であることから、カップ７内の水が腐りにくく、カビが発生することが殆どない。このことは、本考案者によって確認されている。よって、スポンジ製の栽培マットを用いた従来品のように、面倒な水替えが必要なく、煩雑な水替えを伴うことなく容易にスプラウト栽培することができる。
【００２８】
そして、種子４が芽が、前記長片５２に印刷されている写真のスプラウト程度に伸びたら、直射日光に１日当て、葉がみずみずしい緑色になったらスプラウト９が出来上がる。そして、このスプラウト９をカップ７から取り出し、根元をハサミ等で切り取り、水洗いすることにより、食することが可能となる。
【００２９】
また、栽培終了後においては、栽培に使用したカップ７は再度家庭内で使用できることから廃棄する必要はなく、水栽石３のみを廃棄すればよい。しかも、水栽石３にあっては小石群であって自然物であることから、その廃棄処理が環境に影響を及ぼすことがない。よって、栽培終了後において環境に影響を及ぼすことなく、スプラウトの栽培を行うことができる。
【００３０】
なお、本実施の形態においては、第２の袋体２を第１の袋体１内に封入するようにしたが、封入することなく両袋体１、２の上端部をカバー紙５と共にホチキス止めするようにしてもよい。
【図面の簡単な説明】
【００３１】
【図１】本考案の一実施の形態における第１袋体の正面図である。
【図２】同実施の形態における第２袋体の正面図である。
【図３】第２の袋体を第１の袋体１内に封入した状態の正面図である。
【図４】同実施の形態におけるカバー紙を示す斜視図である。
【図５】栽培方法の印刷を示す図である。
【図６】同実施の形態に係るスプラウト栽培セットの側面図である。
【符号の説明】
【００３２】
１    第１の袋体
２    第２の袋体
１１    切断線
１２    ファスナ
３    水栽石
４    種子
５    カバー紙
５２    長片
５３    短片
５４    印刷
６    スプラウト栽培セット
７    カップ
８    段ボール箱
９    スプラウト
【図１】
0003113821.tif 000003
【図２】
0003113821.tif 000004
【図３】
0003113821.tif 000005
【図４】
0003113821.tif 000006
【図５】
0003113821.tif 000007
【図６】
0003113821.tif 000008